(57)【要約】  靴１００は、ねじれ許容部２２および内側強化部材２１（曲げ抑制部）を有する。ねじれ許容部２２は、底部としての靴底１における中足部の内側部に設けられ、つま先側に対して踵側の内向きへのねじれを許容する。内側強化部材２１は、ねじれ許容部２２の上に配設されており、内側部における踵側の上方への曲げを抑制する。
2020121407.tif 000002
【特許請求の範囲】
【請求項１】
底部における中足部の内側部に設けられ、つま先側に対して踵側の内向きへのねじれを許容するねじれ許容部と、
前記ねじれ許容部の上に配設されており、内側部における踵側の上方への曲げを抑制する曲げ抑制部と、
を備えることを特徴とする靴。
【請求項２】
前記底部における外側部に設けられ、前記ねじれ許容部よりも硬度が高い横振れ抑制部を有することを特徴とする請求項１に記載の靴。
【請求項３】
前記横振れ抑制部は、前後方向の中途部からつま先の外側部に亘って設けられていることを特徴とする請求項２に記載の靴。
【請求項４】
前記曲げ抑制部は、前後方向における中途部から踵部分に亘って設けられていることを特徴とする請求項１から３のいずれか１項に記載の靴。
【請求項５】
前記ねじれ許容部は、後側から前側に向かうにつれて上に延びる傾斜部を前側部分に有し、
前記傾斜部は、前記曲げ抑制部の前に張り出していることを特徴とする請求項１から４のいずれか１項に記載の靴。
【請求項６】
前記底部は、路面に接地するアウターソール、および前記アウターソールの上に配置されるミッドソールを有し、
前記ねじれ許容部は、前記ミッドソールの内側部に形成されていることを特徴とする請求項１から５のいずれか１項に記載の靴。
【請求項７】
前記アウターソールの前後方向における中途部に底面側から穿つように凹所を設けたことを特徴とする請求項６に記載の靴。
【発明の詳細な説明】
【技術分野】
【０００１】
本発明は、スポーツ等で着用する靴に関する。
【背景技術】
【０００２】
スポーツ等で着用する靴は、着用者が歩行や、走行、運動等を行った際に身体の足部分の動きに追従し、しっかりと足をサポートすることが望まれる。【０００３】
例えば、特許文献１には、靴に用いられるカップ状スタビライザーが開示されている。カップ状スタビライザーは、硬度を高くしてあり、底面部から踵部側壁部にかけて内甲側部材と、外甲側部材とに分割し、その分割溝の形状を荷重移動経路に対応させることにより、荷重がかかった時の衝撃を底面部およびミッドソールの変形によって吸収させる。【０００４】
また、特許文献２には、アウターソールとミッドソールとを備えた靴底が開示されている。ミッドソールは、樹脂の発泡体で形成された下ミッドソールと上ミッドソールとを有する。下ミッドソールには足の外側を足の側方から支える外巻上部が一体に形成されている。外巻上部を含む下ミッドソールの外側部の硬度が第１の硬度であり、下ミッドソールの内側部の硬度が第１の硬度よりも小さい第２の硬度となっている。また、上ミッドソールの外側部の硬度は、第１の硬度よりも小さい第３の硬度となっている。硬度の大きい外巻上部の一部又は全部は、上ミッドソールの外側において上ミッドソールよりも上方に突出している。
【先行技術文献】
【特許文献】
【０００５】
【特許文献１】特開平０９−４７３０５号公報
【特許文献２】国際公開第２０１３／１６８２５６号公報
【発明の概要】
【発明が解決しようとする課題】
【０００６】
ところで、左右のいずれかの側方へ身体を移動した後、素早く元の位置に戻るような切返し動作において、側方へ伸ばした足の母趾球あたりで接地しつつ踵を上げた状態で側方への体重移動を支える姿勢となることがある。この切返し動作の際に、足はつま先側に対して母趾球から後ろ側が内回りにねじれた状態となる。【０００７】
特許文献１に記載のカップ状スタビライザーは、硬度の高い内甲側部材を有しているため、母趾球から後ろ側における内回りのねじれに対して抵抗要素となり、切返し動作における足のねじれへの追従性が要求される靴には不向きであった。【０００８】
また特許文献２に記載の靴底は、下ミッドソールにおいて外側部に比べて内側部の硬度が低いが、下ミッドソールの内側部の硬度と、その上に配置された上ミッドソールの内側部の硬度との関係が不明となっている。下ミッドソールおよび上ミッドソールの内側部の硬度が低いと、切返し動作の際に、母趾球下において力が地面に十分に伝わらなくなる。【０００９】
本発明は、こうした課題に鑑みてなされたものであり、その目的は、切返し動作における足のねじれへの追従性が良好な靴を提供することにある。
【課題を解決するための手段】
【００１０】
本発明のある態様は靴である。靴は、底部における中足部の内側部に設けられ、つま先側に対して踵側の内向きへのねじれを許容するねじれ許容部と、前記ねじれ許容部の上に配設されており、内側部における踵側の上方への曲げを抑制する曲げ抑制部と、を備えることを特徴とする。【００１１】
なお、以上の構成要素の任意の組み合わせや、本発明の構成要素や表現を方法、装置などの間で相互に置換したものもまた、本発明の態様として有効である。
【発明の効果】
【００１２】
本発明によれば、切返し動作における足のねじれへの追従性が良好となる。
【図面の簡単な説明】
【００１３】
【図１】実施形態１に係る靴の外観を示す分解斜視図である。
【図２】靴底の平面図に人体の足の骨格モデルを重ねた模式図である。
【図３】靴底の分解斜視図である。
【図４】各部分の弾性率の一例を示すグラフである。
【図５】靴底の内側の側面図である。
【図６】靴底の底面側の外観を示す斜視図である。
【図７】靴底の切返し動作時の曲げについて説明するための模式図である。
【図８】切返し動作時の靴底の変形状態を示す模式図である。
【図９】図７に示すＢ−Ｂ線による靴底の断面における剛性を説明するための模式図である。
【図１０】中足部において前後方向Ｙに直交する断面で切った靴底の斜視図である。
【図１１】図１１（ａ）〜図１１（ｃ）は変形例に係る靴底の断面における剛性を説明するための模式図である。
【図１２】図１２（ａ）〜図１２（ｃ）は別の変形例に係る靴底の断面における剛性を説明するための模式図である。
【発明を実施するための形態】
【００１４】
以下、本発明を好適な実施の形態をもとに図１から図１２を参照しながら説明する。各図面に示される同一または同等の構成要素、部材には、同一の符号を付するものとし、適宜重複した説明は省略する。また、各図面における部材の寸法は、理解を容易にするために適宜拡大、縮小して示される。また、各図面において実施の形態を説明する上で重要ではない部材の一部は省略して表示する。
【００１５】
（実施形態１）
図１は実施形態１に係る靴１００の外観を示す分解斜視図である。靴１００は、アッパー９および靴底１を有する。アッパー９は、靴底１の周縁部に接着または縫合されて足の上側を覆う。靴底１は、アウターソール１０およびミッドソール２０等を有し、アウターソール１０の上にミッドソール２０を積層し、さらに図示しない中敷等を積層して構成される。
【００１６】
図２は靴底１の平面図に人体の足の骨格モデルを重ねた模式図である。人体の足は、主に、楔状骨Ｂａ、立方骨Ｂｂ、舟状骨Ｂｃ、距骨Ｂｄ、踵骨Ｂｅ、中足骨Ｂｆ、趾骨Ｂｇで構成される。足の関節には、ＭＰ関節Ｊａ、リスフラン関節Ｊｂ、ショパール関節Ｊｃが含まれる。ショパール関節Ｊｃには、立方骨Ｂｂと踵骨Ｂｅがなす踵立方関節Ｊｃ１と、舟状骨Ｂｃと距骨Ｂｄがなす距舟関節Ｊｃ２とが含まれる。
【００１７】
本発明において足の中心線Ｎは、母趾球の中心Ｎ１および小趾球の中心Ｎ２の中点Ｎ３と、踵の中心Ｎ４とを結んだ直線で表される。例えば、前後方向Ｙは中心線Ｎに平行に、また幅方向Ｘは中心線Ｎに直交する。ＭＰ関節Ｊａの踵側の末端を通ると想定される幅方向Ｘ（中心線Ｎに直交する方向）に沿った直線を線Ｐとする。また着用者のショパール関節Ｊｃのつま先側の末端を通ると想定される幅方向Ｘに沿った直線を線Ｑとする。ここで、前足部は線Ｐからつま先側の領域を、中足部は、線Ｐから線Ｑまでの領域を、後足部は、線Ｑから踵側の領域をいうものとする。線Ｐおよび線Ｑの靴１００との関係について見れば、例えば、線Ｐは中心線Ｎ方向における靴１００の全長Ｍに対して踵側の後端から４０％乃至７５％の範囲に位置する。より好ましくは後端から５５％乃至７０％の範囲に位置する。また線Ｑは中心線Ｎ方向における靴１００の全長Ｍに対して踵側の後端から２０％乃至４５％の範囲に位置する。より好ましくは後端から２５％乃至４０％の範囲に位置する。
【００１８】
図３は、靴底１の分解斜視図である。アウターソール１０は、路面に接地される底面部分が足の前後方向Ｙの全長に亘って形成されており、つま先を保護すべく巻き上げられたつま先保護部１１を有する。つま先保護部１１は、前足部における内側部まで、高さが徐々に低くなりつつ延びている。アウターソール１０の外側部には、別体として形成された外側強化部材１２が配設され、アウターソール１０に接着等によって接合されている。
【００１９】
外側強化部材１２は、中足部、即ち前後方向Ｙの中途部から、つま先側および踵側へ延び、つま先および踵の外側部を覆う壁状に形成されている。外側強化部材１２は、後述するように足の横振れを抑制する機能を有していれば、アウターソール１０と一体的に形成されていてもよく、またアウターソール１０と同一の材料であっても異なる材料であってもよい。尚、外側強化部材１２は、本発明に係る横振れ抑制部に相当する。
【００２０】
ミッドソール２０は、アウターソール１０の上に配置されており、つま先から踵まで形成されている。ミッドソール２０の内側部には、別体として形成された内側強化部材２１が配設され、ミッドソール２０の上に接着等によって接合されている。
【００２１】
内側強化部材２１は、中足部、即ち前後方向Ｙの中途部から、踵側へ延び、踵の内側部、後部および外側部を覆う壁状に形成されている。内側強化部材２１は、後述するように中足部の後部から踵にかけての踵側の上方への曲げを抑制する機能を有していれば、ミッドソール２０と一体的に形成されていてもよく、またミッドソール２０と同一の材料であっても異なる材料であってもよい。尚、内側強化部材２１は、本発明に係る曲げ抑制部に相当する。
【００２２】
アウターソール１０は、例えばゴムや樹脂、またゴムおよび樹脂等の複合材で形成される。ミッドソール２０は、例えば樹脂製の発泡体で形成される。樹脂としては、ＥＶＡ（エチレン−酢酸ビニル共重合体）等の熱可塑性樹脂やＰＵ（ポリウレタン）等の熱硬化性樹脂等が用いられ、適宜、任意の他の成分を含んでいてもよい。また、ブタジエンラバーのようなラバー素材の発泡体で形成してもよい。外側強化部材１２および内側強化部材２１は、例えばＴＰＵ（熱可塑性ポリウレタン）のような熱可塑性樹脂、エポキシ樹脂のような熱硬化性樹脂の非発泡体または発泡体で形成される。アウターソール１０の硬度Ｐ１よりもミッドソールの硬度Ｐ２は低く、ミッドソール２０は、アウターソール１０に比べて曲げ易い。アウターソール１０の硬度Ｐ１よりも外側強化部材１２の硬度Ｐ３および内側強化部材２１の硬度Ｐ４は高く、外側強化部材１２および内側強化部材２１は、アウターソール１０およびミッドソール２０に比べて曲げにくい。ここに挙げた材料は、あくまで例示であり、各部に用いる材料はこれらに制限されるものではない。
【００２３】
また、外側強化部材１２の硬度Ｐ３よりも内側強化部材２１の硬度Ｐ４は高く、内側強化部材２１は、外側強化部材１２に比べて曲げにくい。例えば、アウターソール１０の硬度Ｐ１をＨＡ７０、ミッドソール２０の硬度Ｐ２をＨＣ５８、外側強化部材１２の硬度Ｐ３をＨＡ７５、内側強化部材２１の硬度Ｐ４をＨＡ９５に設定することができる。曲げにくさの指標として、弾性率を用いることもできる。図４は、各部分の弾性率の一例を示すグラフである。図４では粘弾性測定装置によって計測した各部分の貯蔵弾性率（約２５℃、１０Ｈｚ）を示している。例えば、アウターソール１０を約１７ＭＰａ、ミッドソール２０を約７ＭＰａ、外側強化部材１２を約３０ＭＰａ、内側強化部材２１を約１００ＭＰａなどの貯蔵弾性率に設定することができる。尚、外側強化部材１２の硬度Ｐ３と内側強化部材２１の硬度Ｐ４、およびそれぞれの貯蔵弾性率は同程度としてもよい。上述の硬度や貯蔵弾性率は、いずれも例示であり、各部材どうしの硬度、弾性率の大小関係を満たせば、異なる値に設定することができる。
【００２４】
図５は靴底１の内側の側面図である。ミッドソール２０は、内側部における中足部に相当する部分がねじれ許容部２２となっている。ねじれ許容部２２は、前側部分において、後側から前側に向かうにつれて上に延び、内側強化部材２１の前に張り出す傾斜部２２ａを有している。また、中足部において、内側強化部材２１は、ねじれ許容部２２の上に配設されている。上述のように、内側強化部材２１は、その硬度Ｐ４が高く、剛性が高いため、内側部における踵側の上方への曲げを抑制する部分として機能する。一方、ねじれ許容部２２は、その硬度Ｐ２（ミッドソール２０の硬度である）が低く、剛性が低いため、内側部において踵側の上方への曲げおよび踵側の内向きへのねじれが許容される部分として機能する。ねじれ許容部２２は、溝を形成したり、厚みを薄くすることにより剛性を低下させてもよい。
【００２５】
ねじれ許容部２２の前側には、アウターソール１０の前足部における内側部が巻き上げられて形成されており、内側部における曲げが抑制される部分として機能する。アウターソール１０は、中足部、即ち前後方向における中途部に、底面側から穿つように凹所１３が設けられている。図６は靴底１の底面側の外観を示す斜視図である。凹所１３は、内側部が開放されており、前縁１３ａが幅方向Ｘに平行、または内側部から外側部へ向かうにつれてやや後方に傾斜している。凹所１３の後縁１３ｂは、内側部から外側部へ向かうにつれて前方に傾斜した後、中途部から逆に後方に傾斜している。凹所１３は、靴底１の幅方向Ｘの中途部（概ね中央）まで設けられており、前縁１３ａの外側の端部から溝１３ｃに連なる。凹所１３では、アウターソール１０の厚みが薄くなり、踵側の上方への曲げおよび踵側の内向きへのねじれが許容される部分として機能する。
【００２６】
次に靴１００の作用について説明する。図７は靴底１の切返し動作時の曲げについて説明するための模式図であり、図８は切返し動作時の靴底１の変形状態を示す模式図である。切返し動作では、左右のいずれかの側方へ身体を移動した後、素早く元の位置に戻るために、側方へ伸ばした足の母趾球あたりで接地しつつ踵を上げた状態で側方への体重移動を支える姿勢となる。このとき、足はつま先側に対して母趾球から後ろ側が内回りにねじれた状態となる。
【００２７】
図７に示す位置Ａは、母趾球の位置を示している。線Ｌは、内側部において母趾球の位置Ａの後方から、外側部へ向かうにつれて前方へ傾斜する線を表している。切返し動作時には、線Ｌの前側で接地した状態となり、線Ｌの後側で内回りにねじれた状態となる。
【００２８】
線Ｌの傾斜角は、幅方向Ｘに対して例えば４５°程度が想定されるが、切返し動作の個人差などにより、線Ｌの傾斜角は変わる。また、線Ｌは、内側部において厳密に母趾球の位置Ａの後方にある必要はなく、例えば図７に一点鎖線で示すＬ１のように、内側部において母趾球の位置Ａより前方にあってもよい。
【００２９】
図７に示す斜線でハッチングした領域Ｒは、靴底１のうち、踵側の上方への曲げおよび踵側の内向きへのねじれが許容される部分を示している。上述のように、靴底１の内側部における中足部には、ねじれ許容部２２が形成されている。ねじれ許容部２２は、靴底１の内側部の中足部において、母趾球から後ろ側における内回りのねじれに追従するように曲げ変形し、切返し動作における足のねじれへの追従性が良好となる。また、ねじれ許容部２２は、ミッドソール２０と一体的に設けられているので、ねじれ許容部２２を形成するために別部材を準備、接合等する必要がなく、靴１００の製造性を高めることができる。
【００３０】
ねじれ許容部２２は、図５に示すように前側部分において、後側から前側に向かうにつれて上に延び、内側強化部材２１の前に張り出す傾斜部２２ａを有しており、傾斜部２２ａによって、図７に示す線Ｌでの変形を受けて上部においてもねじれによる変形が許容される。傾斜部２２ａを設けることで、靴底１の内側部の中足部において、母趾球から後ろ側における内回りのねじれへの追従性を増す効果がある。
【００３１】
図９は、図７に示すＢ−Ｂ線による靴底１の断面における剛性を説明するための模式図である。靴底１の内側部には、上述のようにねじれ許容部２２が設けられることで切返し動作への追従性が良好となる。靴底１の外側部には外側強化部材１２が設けられており、外側強化部材１２の硬度Ｐ３を高硬度とすることで、足の横振れを抑制する。
【００３２】
中足部における断面において、図９に示されるように剛性が配分されていれば、切返し動作への追従性が良好となる。したがって、本発明が適用される靴底１は、アウターソール１０およびミッドソール２０による構成に限られるものではない。例えば、アウターソール１０は、前足部と後足部とに分割されていてもよい。
【００３３】
また、ミッドソール２０によって形成されるねじれ許容部２２は、ミッドソール２０に含まれるものであっても、ミッドソール２０と別体で構成されていてもよい。更には、つま先から踵へ延びるミッドソール２０が設けられていない靴底１の構成であっても、ねじれ許容部２２に相当する部分が、靴底１の内側部に設けられていれば、切返し動作への追従性が良好となる。
【００３４】
外側強化部材１２は、中足部、即ち前後方向Ｙの中途部から、つま先側へ延び、つま先の外側部を覆うことで、足のつま先部分の横振れを抑制することができる。また、外側強化部材１２は、中足部から踵側へ延び、踵の外側部を覆うことで、足の踵側の部分における横振れを抑制することができる。尚、外側強化部材１２は、つま先および踵側へ延びていなくてもよい。図１０は、中足部において前後方向Ｙに直交する断面で切った靴底１の斜視図である。図１０は靴底１を外側から見た斜視図となっている。図１０に示す外側強化部材１２の断面について見れば、上下方向の中途部において外方向に対して凹状に窪んだ凹部１２ａが、少なくとも中足部から後足部に亘って形成されている。凹部１２ａの上側には上縁部１２ｂ、下側には下縁部１２ｃが形成されている。上縁部１２ｂおよび下縁部１２ｃには、幅方向Ｘについて凹部１２ａの底部の厚みよりも大きい厚みを持たせており、踵側が持ち上がるような曲げ変形に対して外側強化部材１２の曲げ剛性が向上される。また、上縁部１２ｂは、凹部１２ａの底部よりも幅方向Ｘの厚みが大きいことで、足の外側に体重がかかった時に該体重を強固に支持し、安定した切返し動作をスムーズに行うことを可能とする。
【００３５】
内側強化部材２１は、ねじれ許容部２２の上に配設されており、ねじれ許容部２２における踵側の上方への曲げ変形を抑制しつつ、中足部の後部から踵側を高剛性に保っている。また、内側強化部材２１は、中足部、即ち前後方向Ｙの中途部から、踵側へ延び、踵の内側部、後部および外側部を覆うことで、踵を上げた状態での鉛直方向の軸まわりにおける回転に対するサポート性が良好となる。尚、内側強化部材２１は、踵の内側部、後部および外側部を覆う部分が設けられていなくてもよい。
【００３６】
アウターソール１０は、中足部、即ち前後方向における中途部に、底面側から穿つように凹所１３を有しており、凹所１３においてアウターソール１０の厚みが薄くなっている。凹所１３によって中足部における剛性が低下することで、切返し動作への追従性が向上する。また凹所１３は、幅方向Ｘにおいて内側が開放し、幅方向Ｘの中途部まで設けてあることで、切返し動作時のねじれ変形において内側部での変形に対応して変形し、靴底１の外側部では、曲げ変形が抑制される効果がある。
【００３７】
（変形例）
図１１（ａ）〜図１１（ｃ）は変形例に係る靴底１の断面における剛性を説明するための模式図である。図１１（ａ）〜図１１（ｃ）は、図７に示すＢ−Ｂ線における断面を模式的に表しており、低剛性の部分をＤ、中程度の剛性を有する部分をＥ、高剛性の部分をＦで表す。
【００３８】
また、図９について上述したように、中足部における断面において、図１１（ａ）〜図１１（ｃ）に示されるように剛性が配分されていれば、靴底１は、アウターソール１０およびミッドソール２０による構成に限られず、切返し動作への追従性が良好となる。
【００３９】
図１１（ａ）に示す例では、靴底１の内側部における剛性の配分は上述の実施形態１と同等である。靴底１の外側部においては、下部に高剛性の部分を設け、その上に低剛性の部分が設けられている。この例では、足の横振れ抑制の効果は実施形態１に比べて低減するものの、靴底１の外側部においても、曲げ変形が生じ易くなり、母趾球から後ろ側における内回りのねじれへの追従性を増す効果がある。
【００４０】
図１１（ｂ）に示す例では、靴底１の内側部および外側部における剛性の配分は上述の実施形態１と同等であるが、内側部および外側部における高剛性の部分が連続するように形成されている。高剛性の部分は、靴底１の内側部および外側部で連続するように設けることで、強度が増し、より足にかかる荷重が大きく、切返し動作の回数が頻繁な場合に適している。
【００４１】
図１１（ｃ）に示す例では、図１１（ｂ）に示す例と同様に内側部および外側部における高剛性の部分が連続するように形成されているが、内側部の上部から外側部の下部にかけての領域も高剛性な部分となっている。図１１（ｃ）に示す例は、図１１（ｂ）に示す例よりも更に高剛性の部分の占有領域を増加させることで、更に強度が増す。
【００４２】
図１２（ａ）〜図１２（ｃ）は別の変形例に係る靴底１の断面における剛性を説明するための模式図である。図１２（ａ）〜図１２（ｃ）は、図７に示すＢ−Ｂ線における断面を模式的に表しており、低剛性の部分をＤ、中程度の剛性を有する部分をＥ、高剛性の部分をＦで表す。
【００４３】
また、図９について上述したように、中足部における断面において、図１２（ａ）〜図１２（ｃ）に示されるように剛性が配分されていれば、靴底１は、アウターソール１０およびミッドソール２０による構成に限られず、切返し動作への追従性が良好となる。
【００４４】
図１２（ａ）に示す例では、靴底１の内側部および外側部における剛性の配分は上述の実施形態１と同等である。内側部における高剛性の部分は、外側へ延び、中途部において下部へ延び、下部において外側部の高剛性部分に連続する。靴底１の内側部および外側部における剛性の配分は上述の実施形態１と同等であることから、切返し動作への追従性が良好で、足の横振れ抑制に効果がある。また、内側部における高剛性の部分と、外側部における高剛性の部分が連続することで、靴底１の強度が増す。
【００４５】
図１２（ｂ）に示す例では、靴底１の内側部における剛性の配分は上述の実施形態１と同等であるが、靴底１の外側部においては、下部に高剛性の部分を設け、その上に低剛性の部分が設けられている。高剛性の部分は、靴底１の内側部から外側へ延び、中途部において下部へ延び、下部において外側部の高剛性部分に連続する。この構成により、切返し動作への追従性向上、および靴底１の強度の向上が期待できる。
【００４６】
図１２（ｃ）に示す例では、図１２（ａ）に示す例と同様に、内側部および外側部における高剛性の部分は、連続するように形成されているが、内側部の上部から外側部の下部に向けて傾斜するように延びて連続している。この例では、切返し動作への追従性の向上、足の横振れ抑制、および靴底１の強度の向上が期待できる。
【００４７】
次に、実施形態および変形例に係る靴１００の特徴を説明する。
靴１００は、ねじれ許容部２２および内側強化部材２１（曲げ抑制部）を有する。ねじれ許容部２２は、底部としての靴底１における中足部の内側部に設けられ、つま先側に対して踵側の内向きへのねじれを許容する。内側強化部材２１は、ねじれ許容部２２の上に配設されており、内側部における踵側の上方への曲げを抑制する。これにより、靴１００は、切返し動作における足のねじれへの追従性が良好となる。
【００４８】
また靴底１における外側部に設けられ、ねじれ許容部２２よりも硬度が高い外側強化部材１２（横振れ抑制部）を有する。これにより、靴１００は、足のねじれへの追従性を保ちつつ、足の横振れを抑制できる。
【００４９】
また外側強化部材１２は、前後方向の中途部からつま先の外側部に亘って設けられている。これにより、靴１００は、足のつま先部分の横振れを抑制できる。
【００５０】
また内側強化部材２１は、前後方向における中途部から踵部分に亘って設けられている。これにより、靴１００は、踵を上げた状態での鉛直方向の軸まわりにおける回転に対するサポート性が良い。
【００５１】
またねじれ許容部２２は、後側から前側に向かうにつれて上に延びる傾斜部２２ａを前側部分に有する。傾斜部２２ａは、内側強化部材２１の前に張り出している。これにより、靴１００は、切返し動作における足のねじれへの追従性がさらに良好となる。
【００５２】
また靴底１は、路面に接地するアウターソール１０、およびアウターソール１０の上に配置されるミッドソール２０を有する。ねじれ許容部２２は、ミッドソール２０の内側部に形成されている。これにより、靴１００は、ミッドソール２０にねじれ許容部２２を一体的に設けているので、ねじれ許容部２２を形成するために別部材を準備、接合等する必要がなく、靴１００の製造性を高めることができる。
【００５３】
またアウターソール１０の前後方向における中途部に底面側から穿つように凹所１３が設けられている。靴１００は、アウターソール１０に凹所１３を設けることでねじれ許容効果があり、切返し動作における足のねじれへの追従性がさらに良好となる。
【００５４】
以上、本発明の実施の形態をもとに説明した。これらの実施の形態は例示であり、いろいろな変形および変更が本発明の特許請求範囲内で可能なこと、またそうした変形例および変更も本発明の特許請求の範囲にあることは当業者に理解されるところである。従って、本明細書での記述および図面は限定的ではなく例証的に扱われるべきものである。
【符号の説明】
【００５５】
１  靴底（底部）、  １０  アウターソール、
１２  外側強化部材（横振れ抑制部）、  ２０  ミッドソール、
２１  内側強化部材（曲げ抑制部）、  ２２  ねじれ許容部、  ２２ａ  傾斜部、
１００  靴。
【産業上の利用可能性】
【００５６】
本発明は、靴に関する。
【図１】
2020121407.tif 000003
【図２】
2020121407.tif 000004
【図３】
2020121407.tif 000005
【図４】
2020121407.tif 000006
【図５】
2020121407.tif 000007
【図６】
2020121407.tif 000008
【図７】
2020121407.tif 000009
【図８】
2020121407.tif 000010
【図９】
2020121407.tif 000011
【図１０】
2020121407.tif 000012
【図１１】
2020121407.tif 000013
【図１２】
2020121407.tif 000014
【国際調査報告】
2020121407.tif 000015
2020121407.tif 000016
2020121407.tif 000017
2020121407.tif 000018